(57)【要約】【課題】ユーザが通信装置の人体検出距離を容易に設定変更することが可能な通信装置を提供する。【解決手段】親機１０のＣＰＵ２１は、選択ボタン１４Ｂによって、焦電センサ１６の検出距離を変更設定する「検出距離変更モード」が選択され、設定ボタン１４Ｃが押下された場合には、ユーザが、この親機１０から離れる方向又は近づく方向へ移動することによって、スピーカ２３Ａを介した検知音等により焦電センサ１６を介したユーザの検出が報知される（Ｓ１２：ＹＥＳ〜Ｓ２５）。【選択図】図４
2008243011.tif 000002
【特許請求の範囲】
【請求項１】
親機と子機とを備えた通信装置において、
前記親機は、
人体を検出する人体検出センサと、
前記人体検出センサによって人体を検出したことを報知する親機側報知手段と、
前記人体検出センサによる人体の検出距離を変更する検出距離変更モードに設定可能なモード設定手段と、
前記モード設定手段によって検出距離変更モードに設定され、且つ、前記人体検出センサによって人体を検出した場合には、前記親機側報知手段を介して人体を検出したことを報知するように制御する親機側制御手段と、
を有することを特徴とする通信装置。
【請求項２】
前記親機は、
前記人体検出センサによる人体の検出距離を変更設定する変更設定手段と、
前記子機から前記人体検出センサによる人体の検出距離の変更を指示する変更指示情報を受信する変更指示情報受信手段と、
を有し、
前記子機は、
前記変更指示情報を入力する変更指示情報入力手段と、
前記変更指示情報入力手段を介して入力された前記変更指示情報を前記親機に送信する変更指示情報送信手段と、
前記変更指示情報入力手段を介して前記変更指示情報を入力された場合には、前記変更指示情報送信手段を介して該変更指示情報を親機に送信するように制御する子機側制御手段と、
を有し、
前記親機側制御手段は、前記変更指示情報を受信した場合には、前記変更設定手段を介して該変更指示情報に基づいて人体検出センサの検出距離を変更設定するように制御することを特徴とする請求項１に記載の通信装置。
【請求項３】
前記親機は、
前記人体検出センサによって人体を検出したことを表す人体検出情報を前記子機に送信する検出情報送信手段
を有し、
前記子機は、
前記人体検出情報を受信する検出情報受信手段と、
前記検出情報受信手段を介して前記人体検出情報を受信した場合には、該人体検出情報を報知する子機側報知手段と、
を有し、
前記親機側制御手段は、前記モード設定手段によって検出距離変更モードに設定され、且つ、前記人体検出センサによって人体を検出した場合には、前記検出情報送信手段を介して前記人体検出情報を子機へ送信するように制御することを特徴とする請求項１又は請求項２に記載の通信装置。
【請求項４】
前記子機は、
前記検出距離変更モードに設定するように指示するモード指示情報を入力する指示情報入力手段と、
前記指示情報入力手段を介して入力されたモード指示情報を前記親機に送信する指示情報送信手段と、
を有し、
前記親機は、前記モード指示情報を受信するモード指示情報受信手段を有し、
前記親機側制御手段は、前記モード指示情報を受信した場合には、前記モード設定手段を介して検出距離変更モードに設定するように制御することを特徴とする請求項１乃至請求項３のいずれかに記載の通信装置。
【請求項５】
前記変更設定手段は、前記人体検出センサの検出距離を電気的回路を介して変更設定することを特徴とする請求項２乃至請求項４のいずれかに記載の通信装置。
【請求項６】
前記変更設定手段は、前記人体検出センサを上下方向に回動させる回動手段を有し、
該変更設定手段は、前記回動手段を介して前記人体検出センサの検出距離を変更設定することを特徴とする請求項２乃至請求項４のいずれかに記載の通信装置。
【請求項７】
前記子機は、子機側表示手段、子機側スピーカ又は子機側発光手段を有し、
前記子機側報知手段は、前記子機側表示手段を介した画像又は前記子機側スピーカを介した音又は前記子機側発光手段を介した発光によって前記人体検出情報を報知することを特徴とする請求項３乃至請求項６のいずれかに記載の通信装置。
【請求項８】
前記親機は、親機側表示手段、親機側スピーカ又は親機側発光手段を有し、
前記親機側報知手段は、前記親機側表示手段を介した画像又は前記親機側スピーカを介した音又は前記親機側発光手段を介した発光によって前記人体検出情報を報知することを特徴とする請求項１乃至請求項７のいずれかに記載の通信装置。
【請求項９】
前記人体検出センサは、焦電型赤外線センサであることを特徴とする請求項１乃至請求項８のいずれかに記載の通信装置。
【発明の詳細な説明】
【技術分野】
【０００１】
本発明は、人体を検知する人体検出センサを備えた通信装置に関するものである。
【背景技術】
【０００２】
従来より、人体を検知する人体検出センサを備えた通信装置が種々提案されている。
例えば、ユーザーの在宅／不在を設定する在宅／不在設定手段で不在が設定されているときに、赤外線センサ等の人体検出手段が人体を検出すると、通報先として登録されているファクシミリ番号宛に、不法侵入者がある旨のファクシミリメッセージを送信する通信装置がある（例えば、特許文献１参照。）。
【特許文献１】特開２０００−３３２９２５号公報（段落（００１７）〜（００４９）、図１〜図２）
【発明の開示】
【発明が解決しようとする課題】
【０００３】
しかしながら、上述した特許文献１に記載される構成では、赤外線センサ等の人体検出手段の検出距離をユーザが確認できないため、当該ユーザが通信装置の人体検出距離を設定変更することが困難であるという問題がある。
【０００４】
そこで、本発明は、上述した問題点を解決するためになされたものであり、ユーザが通信装置の人体検出距離を容易に設定変更することが可能な通信装置を提供することを目的とする。
【課題を解決するための手段】
【０００５】
前記目的を達成するため請求項１に係る通信装置は、親機と子機とを備えた通信装置において、前記親機は、人体を検出する人体検出センサと、前記人体検出センサによって人体を検出したことを報知する親機側報知手段と、前記人体検出センサによる人体の検出距離を変更する検出距離変更モードに設定可能なモード設定手段と、前記モード設定手段によって検出距離変更モードに設定され、且つ、前記人体検出センサによって人体を検出した場合には、前記親機側報知手段を介して人体を検出したことを報知するように制御する親機側制御手段と、を有することを特徴とする。
【０００６】
また、請求項２に係る通信装置は、請求項１に記載の通信装置において、前記親機は、前記人体検出センサによる人体の検出距離を変更設定する変更設定手段と、前記子機から前記人体検出センサによる人体の検出距離の変更を指示する変更指示情報を受信する変更指示情報受信手段と、を有し、前記子機は、前記変更指示情報を入力する変更指示情報入力手段と、前記変更指示情報入力手段を介して入力された前記変更指示情報を前記親機に送信する変更指示情報送信手段と、前記変更指示情報入力手段を介して前記変更指示情報を入力された場合には、前記変更指示情報送信手段を介して該変更指示情報を親機に送信するように制御する子機側制御手段と、を有し、前記親機側制御手段は、前記変更指示情報を受信した場合には、前記変更設定手段を介して該変更指示情報に基づいて人体検出センサの検出距離を変更設定するように制御することを特徴とする。
【０００７】
また、請求項３に係る通信装置は、請求項１又は請求項２に記載の通信装置において、前記親機は、前記人体検出センサによって人体を検出したことを表す人体検出情報を前記子機に送信する検出情報送信手段を有し、前記子機は、前記人体検出情報を受信する検出情報受信手段と、前記検出情報受信手段を介して前記人体検出情報を受信した場合には、該人体検出情報を報知する子機側報知手段と、を有し、前記親機側制御手段は、前記モード設定手段によって検出距離変更モードに設定され、且つ、前記人体検出センサによって人体を検出した場合には、前記検出情報送信手段を介して前記人体検出情報を子機へ送信するように制御することを特徴とする。
【０００８】
また、請求項４に係る通信装置は、請求項１乃至請求項３のいずれかに記載の通信装置において、前記子機は、前記検出距離変更モードに設定するように指示するモード指示情報を入力する指示情報入力手段と、前記指示情報入力手段を介して入力されたモード指示情報を前記親機に送信する指示情報送信手段と、を有し、前記親機は、前記モード指示情報を受信するモード指示情報受信手段を有し、前記親機側制御手段は、前記モード指示情報を受信した場合には、前記モード設定手段を介して検出距離変更モードに設定するように制御することを特徴とする。
【０００９】
また、請求項５に係る通信装置は、請求項２乃至請求項４のいずれかに記載の通信装置において、前記変更設定手段は、前記人体検出センサの検出距離を電気的回路を介して変更設定することを特徴とする。
【００１０】
また、請求項６に係る通信装置は、請求項２乃至請求項４のいずれかに記載の通信装置において、前記変更設定手段は、前記人体検出センサを上下方向に回動させる回動手段を有し、該変更設定手段は、前記回動手段を介して前記人体検出センサの検出距離を変更設定することを特徴とする。
【００１１】
また、請求項７に係る通信装置は、請求項３乃至請求項６のいずれかに記載の通信装置において、前記子機は、子機側表示手段、子機側スピーカ又は子機側発光手段を有し、前記子機側報知手段は、前記子機側表示手段を介した画像又は前記子機側スピーカを介した音又は前記子機側発光手段を介した発光によって前記人体検出情報を報知することを特徴とする。
【００１２】
また、請求項８に係る通信装置は、請求項１乃至請求項７のいずれかに記載の通信装置において、前記親機は、親機側表示手段、親機側スピーカ又は親機側発光手段を有し、前記親機側報知手段は、前記親機側表示手段を介した画像又は前記親機側スピーカを介した音又は前記親機側発光手段を介した発光によって前記人体検出情報を報知することを特徴とする。
【００１３】
更に、請求項９に係る通信装置は、請求項１乃至請求項８のいずれかに記載の通信装置において、前記人体検出センサは、焦電型赤外線センサであることを特徴とする。
【発明の効果】
【００１４】
前記構成を有する請求項１に係る通信装置では、親機をモード設定手段によって検出距離変更モードに設定した場合には、ユーザが、この親機から離れる方向又は近づく方向へ移動することによって、親機側報知手段を介して人体検出センサによるユーザの検出が報知される。これにより、ユーザは、人体検出センサの検出可能な距離範囲を容易に確認することが可能となる。
【００１５】
また、請求項２に係る通信装置では、親機は、子機から変更指示情報を受信した場合には、人体検出センサによる人体の検出距離を変更設定する変更設定手段を介して該変更指示情報に基づいて人体検出センサの検出距離を変更設定する。これにより、ユーザは、親機を検出距離変更モードに設定した状態で、子機を持って、人体検出センサの検出距離を確認しながら、この子機から変更指示情報を送信することによって、人体検出センサの検出距離を変更設定することが可能となる。
【００１６】
また、請求項３に係る通信装置では、ユーザは、親機を検出距離変更モードに設定した状態で、子機を持って歩くことによって、この子機の子機側報知手段による人体検出情報の報知から、人体検出センサの検出距離を確認することが可能となる。このため、ユーザは、子機の子機側報知手段による報知によって人体検出センサの検出距離を確認しつつ、この子機から親機へ変更指示情報を送信して、人体検出センサの検出距離を変更設定することが可能となる。
【００１７】
また、請求項４に係る通信装置では、ユーザは、子機の指示情報入力手段を介してモード指示情報を入力することによって、親機を検出距離変更モードに容易に設定することが可能となる。
また、請求項５に係る通信装置では、人体検出センサの検出距離を電気的回路を介して変更設定できるため、人体検出センサの検出距離を変更するための機械的部材を必要とせず、親機の小型化を図ることが可能となる。
【００１８】
また、請求項６に係る通信装置では、人体検出センサを回動手段によって上下方向に回動させることによって、人体検出センサの検出距離を変更設定できるため、簡易な構成で人体検出センサの検出距離を変更設定することが可能となる。
また、請求項７に係る通信装置では、ユーザは、子機の子機側表示手段を介した画像又は子機側スピーカを介した音又は子機側発光手段を介した発光によって、親機の人体検出センサの検出距離を容易に確認することが可能となる。
【００１９】
また、請求項８に係る通信装置では、ユーザは、親機側表示手段を介した画像又は親機側スピーカを介した音又は親機側発光手段を介した発光によって、親機の人体検出センサの検出距離を容易に確認することが可能となる。
更に、請求項９に係る通信装置では、人体検出センサは、焦電型赤外線センサであるため、人の動きを確実に検知することが可能となる。
【発明を実施するための最良の形態】
【００２０】
以下、本発明に係る通信装置をファクシミリ装置について具体化した実施例に基づき図面を参照しつつ詳細に説明する。
【実施例】
【００２１】
［ファクシミリ装置の全体構成］
先ず、本実施例に係るファクシミリ装置１の概略構成について図１に基づき説明する。
図１は本実施例に係るファクシミリ装置１の概略構成を示す斜視図である。
図１に示すように、ファクシミリ装置１は、電話回線網１００（図２参照）を介して音声通話を実現する機能（電話通話機能）や電話回線網１００を介して画像データの送受信を行う機能（ファクシミリ機能）等を有しており、図１に示すように、電話回線網１００に接続される親機１０と、その親機１０との間で無線回線を介して接続される子機５０と、図示しない外部電源に接続され、子機５０を着脱可能に載置し、載置された子機５０を所定の電圧で充電するための充電台８０とから構成されている。
【００２２】
親機１０は、その親機本体ケース１１の側部に、親機１０本体から取り外した状態で使用される送受話器であるハンドセット１２（図２参照）が載置される受話器台１２Ａが設けられている。更に、親機本体ケース１１の上面には、各種機能に関連する情報を表示するための液晶ディスプレイ（ＬＣＤ）１３と、相手先の電話番号やＦＡＸ番号、各種コマンド等を入力するためのダイヤルボタン１４Ａ、液晶ディスプレイ１３に表示されるメニュー画面等で選択するときに操作される選択ボタン１４Ｂ、各種モードの設定を行う時に操作される設定ボタン１４Ｃ、各種設定モードの解除を行う時に操作される解除ボタン１４Ｄ等の各種操作ボタン１４が備えられている。
【００２３】
尚、液晶ディスプレイ１３は、表示画面を背面から照明するバックライト付の液晶ディスプレイ（ＬＣＤ）である。また、各ダイヤルボタン１４Ａ内には、ＬＥＤ（light emittinig diode）が内蔵され、特定のダイヤルボタン１４Ａを光らせることが可能に構成されている。
【００２４】
また、親機本体ケース１１の受話器台１２Ａと反対側の側面部には、コードレス子機５０との間で無線通信を行うためのアンテナ１５が設けられている。また、親機本体ケース１１の前面部には、人体を検知する人体検出センサの一例としての焦電型赤外線センサ（以下、「焦電センサ」という。）１６が配置されている。
また、この親機１０は、受話器台１２Ａに載置されるハンドセット１２を用いた電話（音声通話）機能を有する他、ファクシミリ装置としての基本的な機能である、原稿読み取り機能及び画像記録機能を備えている。
【００２５】
また、子機５０は、ハンドセットの形状をした子機本体ケース５１の表面上に、各種機能に関連する情報を表示するための液晶ディスプレイ（ＬＣＤ）５３と、相手側の電話番号を入力するためのダイヤルボタン５４Ａ、表示パネル５３に表示されるメニュー画面等で選択するときに操作される選択ボタン５４Ｂ、各種モードの設定を行う時に操作される設定ボタン５４Ｃ、各種設定モードの解除を行う時に操作される解除ボタン５４Ｄ等の各種操作ボタン５４と、トーン信号や通話相手の音声などが出力されるスピーカ部６７と、種々の信号の受信を報知するＬＥＤ５８等を備えている。また、子機５０は、当該子機５０全体に電源を供給する二次電池７１（図２参照）を充電台８０から充電するための充電用端子５５（図２参照）が備えられている。
【００２６】
また、充電器８０は、子機５０が載置されると当該子機５０の充電用端子５５に接触する充電用端子８２（図２参照）を備えている。
そして、子機５０は、二次電池７１（図２参照）から電源供給を受けて動作するため、二次電池７１を充電する際は、図示のように充電台８０に子機５０を載置して充電を行う。つまり、子機５０がこの充電台８０に載置されているときに、この充電台８０から電力の供給を受けて二次電池７１が充電される。
【００２７】
［ファクシミリ装置の電気的構成］
次に、ファクシミリ装置１の電気的構成について図２及び図３に基づいて説明する。
図２はファクシミリ装置１の電気的構成を示すブロック図である。図３は感度設定回路部１８による焦電型赤外線センサ１６の感度設定の一例を説明する図である。
図２に示すように、親機１０は、親機１０全体の動作を制御する制御部２０、ハンドセット１２、液晶ディスプレイ１３および操作ボタン１４からなるユーザインターフェース部（以降、ユーザＩ／Ｆとする）１７、焦電センサ１６の感度レベルを４段階（図３参照）に設定可能な感度設定回路部１８、音声信号を入力および出力する音声入出力部２３、予め記憶された各種音声信号に基づく音声を再生する再生部２５、子機５０との間で音声信号を含めた各種信号を無線通信により送受信する無線通信部２７、電話回線網１００経由で伝送される音声信号を入出力するＮＣＵ（network control unit）２９、親機１０内部における音声信号の伝送経路を切り換える経路切換部３１等を備えている。
【００２８】
これらの内、制御部２０は、当該親機１０に搭載された各種デバイスを統括して制御するＣＰＵ２１と、種々のデータを格納するＲＡＭ２１Ａと、電力が供給されない状態でも記憶されたデータを保持可能なＥＥＰＲＯＭ２１Ｂと、当該ＣＰＵ２１にて実行すべき各種処理のプログラムを記憶するＲＯＭ２１Ｃ、時間の計測を行うタイマ（図示せず）等を備えている。
【００２９】
また、感度設定回路部１８は、ＣＰＵ２１からの制御信号に従って、焦電センサ１６の感度レベルを設定する。
ここで、図３に示すように、感度設定回路部１８は、ＣＰＵ２１からの制御信号に従って、焦電センサ１６の感度レベルを、レベル１からレベル４までの４段階に設定可能に構成されている。そして、焦電センサ１６の感度レベルが、レベル１〜レベル４に設定された場合には、焦電センサ１６の人体を検出可能な最大距離は、それぞれ約１．５ｍ〜約６．０ｍに設定される。また、焦電センサ１６の感度レベルとして、親機１０の液晶ディスプレイ１３や子機５０の液晶ディスプレイ５３に表示される「レベル表示」は、感度レベルの各レベル１〜レベル４に対して、それぞれ黒四角マーク１個〜４個で表示される。
【００３０】
また、音声入出力部２３は、スピーカ２３Ａ、マイク２３Ｂおよびこれらを駆動する駆動回路２３Ｃを備え、スピーカ２３Ａから音声信号に基づく音声を出力する以外に、スピーカ２３Ａおよびマイク２３Ｂを送受話器として、いわゆるハンズフリー通話を行えるように構成されている。
また、再生部２５は、着信を受けた際に利用される呼出音、音声通話を保留する際に利用される保留音などの音声信号を記憶し、ＣＰＵ２１からの指令を受けて、記憶されている音声信号を再生する。再生された音声信号はスピーカ２３Ａから出力される。
【００３１】
また、無線通信部２７は、子機５０との間で音声信号を含めた各種信号をアンテナ１５を介して無線通信により送受信する。
また、経路切換部３１は、通話を開始するための操作が行われた場合に、親機１０外部との音声信号の入出力に利用する伝送経路をハンドセット１２、音声入出力部２３、無線通信部２７のいずれかに切り換える。具体的には、ハンドセット１２が親機１０本体から取り外された場合は、伝送経路をハンドセット１２に切り換え、ユーザＩ／Ｆ１７の操作ボタン１４によりハンズフリー通話を開始するための操作が行われた場合は、伝送経路を音声入出力部２３に切り換え、子機５０により通話を開始するための操作（例えば、後述の操作ボタン５４によって、外線通話又は親機１０や他の子機５０との内線通話の通信設定操作である。）が行われた場合には、伝送経路を無線通信部２７に切り換える。
【００３２】
一方、子機５０は、子機５０全体の動作を制御する制御部６０と、スピーカとマイクおよびこれらを駆動する駆動回路からなる送受話部６３と、液晶ディスプレイ（ＬＣＤ）５３および操作ボタン５４からなるユーザＩ／Ｆ５７と、予め記憶された各種音声信号に基づく音声を再生する再生部６５と、再生部６５により再生された音声を出力するスピーカおよびスピーカを駆動する駆動回路からなるスピーカ部６７と、種々の信号の受信を報知するＬＥＤ５８と、親機１０の無線通信部２７との間で音声信号を含めた各種信号を無線通信により送受信する無線通信部６９と、子機５０全体に電源を供給する二次電池７１と、充電台８０の充電用端子８２と電気的に接続するための充電用端子５５と、充電用端子５５への電圧印加を検出するとともに、充電用端子５５を介して充電台８０から供給される電源電圧により二次電池７１を充電する充電回路７５と備えている。
【００３３】
これらの内、制御部６０は、当該子機５０に搭載された各種デバイスを統括して制御するＣＰＵ６１と、種々のデータを格納するＲＡＭ６２Ａと、電力が供給されない状態でも記憶されたデータを保持可能なＥＥＰＲＯＭ６２Ｂとを備えている。
また、再生部６５は、着信を受けた際に利用される呼出音、音声通話を保留する際に利用される保留音などの音声信号が記憶されている。
【００３４】
さらに、充電台８０は、上述の充電用端子８２を備え、外部電源（例えば、ＡＣ１００Ｖである。）に接続される。
このように構成されたファクシミリ装置１において、親機１０は、電話回線網１００を介して外部の相手側通信端末との間で外線通話が可能で、子機５０との間で内線通話が可能となっている。また、子機５０は、親機１０経由で電話回線網１００を介して外部の相手側通信端末との間で外線通話が可能となっている。
【００３５】
さらに、子機５０は、最大４台まで増設可能で、複数の子機５０が存在する場合には、子機５０同士でも内線通話が可能となっている。本実施例において、子機５０同士での内線通話を行う場合、各子機５０は親機１０と通信を行い、親機１０経由で子機５０同士が内線通話を行うようになっている。
【００３６】
［検出距離変更処理］
次に、上記のように構成された親機１０の焦電センサ１６の検出距離を子機５０を使用して設定変更する検出距離変更処理について図４及び図５に基づいて説明する。
図４は親機１０のＣＰＵ２１が、子機５０からの変更指示情報に基づいて、焦電センサ１６の検出距離を設定変更する「親機側設定変更処理」を示すフローチャートである。図５は子機５０のＣＰＵ６１が、ユーザから入力された変更指示情報を親機１０へ送信する「子機側指示情報送信処理」を示すフローチャートである。
【００３７】
［親機側設定変更処理］
先ず、親機１０のＣＰＵ２１が、子機５０からの変更指示情報に基づいて実行する焦電センサ１６の検出距離を設定変更する「親機側設定変更処理」について図４に基づいて説明する。
【００３８】
図４に示すように、先ず、ステップ（以下、Ｓと略記する）１１において、ＣＰＵ２１は、無線通信部２７を介して、子機５０から焦電センサ１６の検出距離の変更設定を要求する、即ち、焦電センサ１６の感度レベルの変更設定を要求する「センサ感度要求コマンド」を受信したか否かを判定する判定処理を実行する。
そして、子機５０から「センサ感度要求コマンド」を受信している場合には（Ｓ１１：ＹＥＳ）、ＣＰＵ２１は、Ｓ１４の処理に移行する。
【００３９】
一方、子機５０から「センサ感度要求コマンド」を受信していない場合には（Ｓ１１：ＮＯ）、ＣＰＵ２１は、Ｓ１２の処理に移行する。Ｓ１２において、ＣＰＵ２１は、選択ボタン１４Ｂによって、焦電センサ１６の検出距離を変更設定する「検出距離変更モード」が選択され、設定ボタン１４Ｃが押下されたか否か、即ち、「検出距離変更モード」が設定されたか否かを判定する判定処理を実行する。
【００４０】
そして、設定ボタン１４Ｃが押下された、即ち、「検出距離変更モード」が設定された場合には（Ｓ１２：ＹＥＳ）、ＣＰＵ２１は、Ｓ１３の処理に移行する。Ｓ１３において、ＣＰＵ２１は、焦電センサ１６の検出距離の変更設定を要求する、即ち、焦電センサ１６の感度レベルの変更設定を要求する「センサ感度要求コマンド」の送信を要求する「設定コマンド」を子機５０へ送信後、再度、Ｓ１１以降の処理を実行する。そして、Ｓ１１において、子機５０から「センサ感度要求コマンド」を受信した場合には（Ｓ１１：ＹＥＳ）、ＣＰＵ２１は、Ｓ１４の処理に移行する。
【００４１】
続いて、Ｓ１４において、ＣＰＵ２１は、感度設定回路部１８で設定している焦電センサ１６の現在の感度レベルをＲＡＭ２１Ａから読み出し、この現在の感度レベルを含む「センサ感度コマンド」を無線通信部２７を介して予めＥＥＰＲＯＭ２１Ｂに登録されている子機５０へ送信する。
【００４２】
その後、ＣＰＵ２１は、Ｓ１５において、解除ボタン１４Ｄが押下されたか否か、即ち、「検出距離変更モード」が解除されたか否かを判定する判定処理を実行する。
そして、解除ボタン１４Ｄが押下された、即ち、「検出距離変更モード」が解除された場合には（Ｓ１５：ＹＥＳ）、ＣＰＵ２１は、Ｓ１６の処理に移行する。Ｓ１６において、ＣＰＵ２１は、「検出距離変更モード」が解除された旨を表す「強制終了コマンド」を子機５０へ送信後、当該処理を終了する。
【００４３】
一方、解除ボタン１４Ｄが押下されていない、即ち、「検出距離変更モード」が解除されていない場合には（Ｓ１５：ＮＯ）、ＣＰＵ２１は、Ｓ１７の処理に移行する。Ｓ１７において、ＣＰＵ２１は、無線通信部２７を介して、子機５０から「検出距離変更モード」が解除された旨を表す「強制終了コマンド」を受信したか否かを判定する判定処理を実行する。
【００４４】
そして、子機５０から「検出距離変更モード」が解除された旨を表す「強制終了コマンド」を受信した場合には（Ｓ１７：ＹＥＳ）、ＣＰＵ２１は、当該処理を終了する。
一方、子機５０から「検出距離変更モード」が解除された旨を表す「強制終了コマンド」を受信していない場合には（Ｓ１７：ＮＯ）、ＣＰＵ２１は、Ｓ１８の処理に移行する。Ｓ１８において、ＣＰＵ２１は、無線通信部２７を介して子機５０から、変更設定する感度レベル値を含む「センサ感度変更コマンド」を受信したか否かを判定する判定処理を実行する。
【００４５】
そして、無線通信部２７を介して子機５０から、変更設定する感度レベル値を含む「センサ感度変更コマンド」を受信した場合には（Ｓ１８：ＹＥＳ）、ＣＰＵ２１は、Ｓ１９の処理に移行する。Ｓ１９において、ＣＰＵ２１は、当該「センサ感度変更コマンド」に含まれた変更設定する感度レベル値が変更設定可能な感度レベル値か否か、即ち、レベル１乃至レベル４のうちのいずれかであるか否かを判定する判定処理を実行する。
【００４６】
そして、当該「センサ感度変更コマンド」に含まれた変更設定する感度レベル値が変更設定可能な感度レベル値でない場合、つまり、感度レベル値がレベル０又はレベル５以上である場合には（Ｓ１９：ＮＯ）、ＣＰＵ２１は、Ｓ２０の処理に移行する。Ｓ２０において、ＣＰＵ２１は、受信した「センサ感度変更コマンド」が不適切なコマンドである旨を表す「Ｒｅｊｅｃｔコマンド」を子機５０に送信後、再度Ｓ１１以降の処理を実行する。
【００４７】
一方、当該「センサ感度変更コマンド」に含まれた変更設定する感度レベル値が変更設定可能な感度レベル値の場合、つまり、感度レベル値がレベル１乃至レベル４のいずれかである場合には（Ｓ１９：ＹＥＳ）、ＣＰＵ２１は、Ｓ２１の処理に移行する。Ｓ２１において、ＣＰＵ２１は、受信した当該「センサ感度変更コマンド」を受け付けた旨を表す、つまり、当該「センサ感度変更コマンド」に従って焦電センサ１６の感度レベルを変更設定する旨を表す「感度設定受付コマンド」を子機５０へ送信する。
【００４８】
続いて、Ｓ２２において、ＣＰＵ２１は、当該「センサ感度変更コマンド」に含まれた変更設定する感度レベル値に従って、感度設定回路部１８における焦電センサ１６の設定感度レベルを設定変更後、再度Ｓ１５以降の処理を実行する。
例えば、受信した「センサ感度変更コマンド」に含まれた変更設定する感度レベル値がレベル１の場合には、ＣＰＵ２１は、感度設定回路部１８における焦電センサ１６の設定感度レベルをレベル１に設定変更後、再度Ｓ１５以降の処理を実行する。
【００４９】
また、上記Ｓ１８で無線通信部２７を介して子機５０から、変更設定する感度レベル値を含む「センサ感度変更コマンド」を受信していない場合には（Ｓ１８：ＮＯ）、ＣＰＵ２１は、Ｓ２３の処理に移行する。Ｓ２３において、ＣＰＵ２１は、焦電センサ１６を介して人を検出したか否かを判定する判定処理を実行する。
そして、焦電センサ１６を介して人を検出していない場合には（Ｓ２３：ＮＯ）、ＣＰＵ２１は、再度Ｓ１５以降の処理を実行する。
【００５０】
一方、焦電センサ１６を介して人を検出した場合には（Ｓ２３：ＹＥＳ）、ＣＰＵ２１は、Ｓ２４の処理に移行する。Ｓ２４において、ＣＰＵ２１は、焦電センサ１６を介して人を検出した旨を表す「センサ検知コマンド」を子機５０に送信する。
そして、Ｓ２５において、ＣＰＵ２１は、焦電センサ１６を介して人を検知した旨を報知する「報知処理１」を実行後、再度Ｓ１５以降の処理を実行する。
【００５１】
例えば、「報知処理１」として、ＣＰＵ２１は、スピーカ２３Ａを介して「ピーッ」等の喚起音を再生する共に、液晶ディスプレイ１３の上段に「センサ反応確認」と表示すると共に、該液晶ディスプレイ１３の下段に焦電センサ１６の現在の感度レベルが、レベル２であることを表す２個の黒四角を表示する。また同時に、ＣＰＵ２１は、液晶ディスプレイ１３のバックライトを点滅させたり、各操作ボタン１４に内蔵されているＬＥＤを点滅させるようにしてもよい。これにより、ユーザは、親機１０から離れて立っていても、焦電センサ１６によって検知されたことを容易に確認することが可能となる。
【００５２】
他方、上記Ｓ１２で、設定ボタン１４Ｃが押下されていない、即ち、「検出距離変更モード」に設定されていない場合には（Ｓ１２：ＮＯ）、ＣＰＵ２１は、Ｓ２６の処理に移行する。Ｓ２６において、ＣＰＵ２１は、解除ボタン１４Ｄが押下されたか否か、即ち、「検出距離変更モード」の選択が中止されたか否かを判定する判定処理を実行する。
【００５３】
そして、解除ボタン１４Ｄが押下された場合、即ち、「検出距離変更モード」の選択が中止された場合には（Ｓ２６：ＹＥＳ）、ＣＰＵ２１は、当該処理を終了する。
一方、解除ボタン１４Ｄが押下されていない場合、即ち、「検出距離変更モード」の選択が中止されていない場合には（Ｓ２６：ＮＯ）、ＣＰＵ２１は、Ｓ２７の処理に移行する。Ｓ２７において、ＣＰＵ２１は、焦電センサ１６を介して人を検出したか否かを判定する判定処理を実行する。
そして、焦電センサ１６を介して人を検出していない場合には（Ｓ２７：ＮＯ）、ＣＰＵ２１は、再度Ｓ１１以降の処理を実行する。
【００５４】
一方、焦電センサ１６を介して人を検出した場合には（Ｓ２７：ＹＥＳ）、ＣＰＵ２１は、Ｓ２８の処理に移行する。Ｓ２８において、ＣＰＵ２１は、焦電センサ１６を介して検知した人に対してモード選択状態である旨を報知する「報知処理２」を実行後、再度Ｓ１１以降の処理を実行する。
【００５５】
［子機側指示情報送信処理］
次に、子機５０のＣＰＵ６１が、ユーザから入力された変更指示情報を親機１０へ送信する「子機側指示情報送信処理」について図５に基づいて説明する。
【００５６】
図５に示すように、先ず、Ｓ１１１において、ＣＰＵ６１は、無線通信部６９を介して、親機１０から焦電センサ１６の検出距離の変更設定を要求する「センサ感度要求コマンド」の送信を要求する「設定コマンド」を受信したか否かを判定する判定処理を実行する。
そして、「設定コマンド」を受信した場合には（Ｓ１１１：ＹＥＳ）、ＣＰＵ６１は、Ｓ１１３の処理に移行する。
【００５７】
一方、「設定コマンド」を受信していない場合には（Ｓ１１１：ＮＯ）、ＣＰＵ６１は、Ｓ１１２の処理に移行する。Ｓ１１２において、ＣＰＵ６１は、選択ボタン５４Ｂによって、焦電センサ１６の検出距離の変更設定を要求する「センサ感度要求コマンド」の送信を指示する「検出距離変更モード」が選択され、設定ボタン５４Ｃが押下されたか否かを判定する判定処理を実行する。
そして、選択ボタン５４Ｂによって「検出距離変更モード」が選択され、設定ボタン５４Ｃが押下されていない場合には（Ｓ１１２：ＮＯ）、ＣＰＵ６１は、当該処理を終了する。
【００５８】
一方、選択ボタン５４Ｂによって「検出距離変更モード」が選択され、設定ボタン５４Ｃが押下された場合には（Ｓ１１２：ＹＥＳ）、ＣＰＵ６１は、Ｓ１１３の処理に移行する。Ｓ１１３において、ＣＰＵ６１は、ＬＥＤ５８を消灯する。
そして、Ｓ１１４において、ＣＰＵ６１は、焦電センサ１６の検出距離の変更設定を要求する、即ち、焦電センサ１６の感度レベルの変更設定を要求する「センサ感度要求コマンド」を親機１０へ送信する。
【００５９】
続いて、Ｓ１１５において、ＣＰＵ６１は、無線通信部６９を介して、親機１０の感度設定回路部１８で設定している焦電センサ１６の現在の感度レベルを含む「センサ感度コマンド」の受信を待つ（Ｓ１１５：Ｅｌｓｅ）。
そして、当該「センサ感度コマンド」の受信を待ってから所定時間以上（例えば、約５秒乃至２０秒以上である。）待った場合には（Ｓ１１５：コマンド受信タイムアウト）、ＣＰＵ６１は、Ｓ１１６の処理に移行する。若しくは、無線通信部６９を介して、送信した「センサ感度変更コマンド」が不適切なコマンドである旨を表す「Ｒｅｊｅｃｔコマンド」を親機１０から受信した場合には（Ｓ１１５：Ｒｅｊｅｃｔコマンド受信）、ＣＰＵ６１は、Ｓ１１６の処理に移行する。
【００６０】
Ｓ１１６において、ＣＰ６１は、「センサ感度変更コマンド」の送信に失敗したことを報知するエラー処理を実行後、当該処理を終了する。
例えば、ＣＰＵ６１は、スピーカ部６７を介して「ピッピッピッ」等のアラーム音を再生すると共に、「ソウシン  エラー」と液晶ディスプレイ５３に表示後、当該処理を終了する。
【００６１】
一方、無線通信部６９を介して、親機１０の感度設定回路部１８で設定している焦電センサ１６の現在の感度レベルを含む「センサ感度コマンド」を受信した場合には（Ｓ１１５：センサー感度コマンド受信）、ＣＰＵ６１は、Ｓ１１７の処理に移行する。
Ｓ１１７において、ＣＰＵ６１は、この受信した「センサ感度コマンド」に含まれている親機１０の感度設定回路部１８で設定している焦電センサ１６の現在の感度レベルを液晶ディスプレイ５３に表示する。
【００６２】
例えば、ＣＰＵ６１は、液晶ディスプレイ５３の上段に「センサーカンド」と表示し、また、中段に焦電センサ１６の感度レベルがレベル２、即ち、検出距離がレベル２であることを表す２個の黒四角マークを表示し、下段に感度変更ボタンとして機能する選択ボタン５４Ｂの左右矢印マークを押下することによって焦電センサ１６の感度レベルを調整できることを表す「←→デ  チョウセイ」と表示する。
【００６３】
続いて、Ｓ１１８において、ＣＰＵ６１は、解除ボタン５４Ｄが押下されたか否か、即ち、焦電センサ１６の検出距離の変更要求が解除されたか否かを判定する判定処理を実行する。
そして、解除ボタン５４Ｄが押下されていない場合には（Ｓ１１８：ＮＯ）、ＣＰＵ６１は、Ｓ１１９の処理に移行する、Ｓ１１９において、ＣＰＵ６１は、無線通信部６９を介して、親機１０から「検出距離変更モード」が解除された旨を表す「強制終了コマンド」を受信したか否かを判定する判定処理を実行する。
【００６４】
そして、親機１０から「検出距離変更モード」が解除された旨を表す「強制終了コマンド」を受信した場合には（Ｓ１１９：ＹＥＳ）、ＣＰＵ６１は、上記Ｓ１１６の処理に移行する。
一方、親機１０から「検出距離変更モード」が解除された旨を表す「強制終了コマンド」を受信していない場合には（Ｓ１１９：ＮＯ）、ＣＰＵ６１は、Ｓ１２０の処理に移行する。Ｓ１２０において、ＣＰＵ６１は、無線通信部６９を介して、親機１０から焦電センサ１６を介して人を検出した旨を表す「センサ検知コマンド」を受信したか否かを判定する判定処理を実行する。
【００６５】
そして、親機１０から焦電センサ１６を介して人を検出した旨を表す「センサ検知コマンド」を受信した場合には（Ｓ１２０：ＹＥＳ）、ＣＰＵ６１は、Ｓ１２１の処理に移行する。Ｓ１２１において、ＣＰＵ６１は、ＬＥＤ５８を点灯する。
続いて、Ｓ１２２において、ＣＰＵ６１は、スピーカ部６７を介して、「ピッピッ」等の検知音を再生する。その後、Ｓ１２３において、ＣＰＵ６１は、ＬＥＤ５８を消灯後、Ｓ１２４の処理に移行する。尚、ダイヤルボタン５４Ａに内蔵されているＬＥＤを点灯後、消灯するようにしてもよい。
【００６６】
一方、親機１０から焦電センサ１６を介して人を検出した旨を表す「センサ検知コマンド」を受信していない場合には（Ｓ１２０：ＮＯ）、ＣＰＵ６１は、Ｓ１２４の処理に移行する。Ｓ１２４において、ＣＰＵ６１は、焦電センサ１６の感度レベルを変更するために、感度変更ボタンとして機能する選択ボタン５４Ｂの左右矢印マークが押下されたか否かを判定する判定処理を実行する。尚、選択ボタン５４Ｂの右矢印マークを１回押下することによって、焦電センサ１６の感度レベルを一段階上げることがＣＰＵ６１に対して指示される。また、選択ボタン５４Ｂの左矢印マークを１回押下することによって、焦電センサ１６の感度レベルを一段階下げることがＣＰＵ６１に対して指示される。
【００６７】
そして、感度変更ボタンとして機能する選択ボタン５４Ｂの左右矢印マークが押下されていない場合には（Ｓ１２４：ＮＯ）、ＣＰＵ６１は、再度、Ｓ１１８以降の処理を実行する。
一方、感度変更ボタンとして機能する選択ボタン５４Ｂの左右矢印マークが押下された場合には（Ｓ１２４：ＹＥＳ）、ＣＰＵ６１は、Ｓ１２５の処理に移行する。Ｓ１２５において、ＣＰＵ６１は、無線通信部６９を介して、変更設定する感度レベル値を含む「センサ感度変更コマンド」を親機１０へ送信する。
【００６８】
例えば、上記Ｓ１１５で受信した「センサ感度コマンド」に含まれている親機１０の感度設定回路部１８で設定している焦電センサ１６の現在の感度レベルが「レベル２」で、Ｓ１２４において、選択ボタン５４Ｂの右矢印マークが「１回」押下された場合には、ＣＰＵ６１は、変更設定する感度レベル値として「レベル３」を含む「センサ感度変更コマンド」を親機１０へ送信する。また、Ｓ１２４において、選択ボタン５４Ｂの左矢印マークが「１回」押下された場合には、ＣＰＵ６１は、変更設定する感度レベル値として「レベル１」を含む「センサ感度変更コマンド」を親機１０へ送信する。
【００６９】
続いて、Ｓ１２６において、ＣＰＵ６１は、無線通信部６９を介して、当該「センサ感度変更コマンド」を受け付けた旨を表す「感度設定受付コマンド」、又は、当該「センサ感度変更コマンド」が不適切なコマンドである旨を表す「Ｒｅｊｅｃｔコマンド」のいずれかの受信を待つ（Ｓ１２６：Ｅｌｓｅ）。
【００７０】
そして、「感度設定受付コマンド」又は「Ｒｅｊｅｃｔコマンド」のいずれかの受信を待ってから所定時間以上（例えば、約５秒乃至２０秒以上である。）待った場合には（Ｓ１２６：コマンド受信タイムアウト）、ＣＰＵ６１は、上記Ｓ１１６の処理に移行する。若しくは、無線通信部６９を介して、「Ｒｅｊｅｃｔコマンド」を親機１０から受信した場合には（Ｓ１２６：Ｒｅｊｅｃｔコマンド受信）、ＣＰＵ６１は、上記Ｓ１１６の処理に移行する。
【００７１】
一方、無線通信部６９を介して、当該「センサ感度変更コマンド」を受け付けた旨を表す「感度設定受付コマンド」を親機１０から受信した場合には（Ｓ１２６：感度設定受付コマンド受信）、ＣＰＵ６１は、Ｓ１２７の処理に移行する。Ｓ１２７において、ＣＰＵ６１は、親機１０が当該「センサ感度変更コマンド」を受け付けた旨を表す「受付確認表示」を液晶ディスプレイ５３に表示後、再度、Ｓ１１７以降の処理を実行する。
【００７２】
例えば、ＣＰＵ６１は、「受付確認表示」として液晶ディスプレイ５３に「ウケツケマシタ」と表示後、再度、Ｓ１１７以降の処理を実行する。
【００７３】
他方、上記Ｓ１１８で解除ボタン５４Ｄが押下された場合には（Ｓ１１８：ＹＥＳ）、ＣＰＵ６１は、Ｓ１２８の処理に移行する。Ｓ１２８において、ＣＰＵ６１は、「検出距離変更モード」が解除された旨を表す「強制終了コマンド」を親機１０へ送信後、当該処理を終了する。
【００７４】
［本実施例の効果］
以上詳細に説明した通り、本実施例に係るファクシミリ装置１では、親機１０のＣＰＵ２１は、選択ボタン１４Ｂによって、焦電センサ１６の検出距離を変更設定する「検出距離変更モード」が選択され、設定ボタン１４Ｃが押下された場合には、ユーザが、この親機１０から離れる方向又は近づく方向へ移動することによって、スピーカ２３Ａを介した検知音等により焦電センサ１６を介したユーザの検出が報知される（Ｓ１２：ＹＥＳ〜Ｓ２５）。これにより、ユーザは、焦電センサ１６の検出可能な距離範囲を容易に確認することが可能となる。
【００７５】
また、親機１０のＣＰＵ２１は、子機５０から焦電センサ１６の変更設定するレベル１乃至レベル４のいずれかの感度レベル値を含む「センサ感度変更コマンド」を受信した場合には、当該変更設定する感度レベル値に従って、感度設定回路部１８における焦電センサ１６の設定感度レベルを変更設定する（Ｓ１１：ＹＥＳ〜Ｓ２２）。これにより、ユーザは、親機１０を「検出距離変更モード」に設定した状態で、子機５０を持って、焦電センサ１６の検出距離を確認しながら、この子機５０の選択ボタン５４Ｂの左右矢印マークを押下することによって、焦電センサ１６の検出距離を変更設定することが可能となる。
【００７６】
また、ユーザは、親機１０を「検出距離変更モード」に設定した状態で、子機５０を持って歩くことによって、この子機５０のＬＥＤ５８の点灯及びスピーカ部６７の検知音によって、焦電センサ１６の検出距離を確認することが可能となる（Ｓ１２０〜Ｓ１２３）。このため、ユーザは、子機５０のＬＥＤ５８の点灯及びスピーカ部６７の検知音によって焦電センサ１６の検出距離を確認しつつ、この子機５０の選択ボタン５４Ｂの左右矢印マークを押下することによって、焦電センサ１６の検出距離を変更設定することが可能となる。
【００７７】
また、ユーザは、子機５０の選択ボタン５４Ｂによって「検出距離変更モード」を選択して、設定ボタン５４Ｃを押下することによって、親機１０を「検出距離変更モード」に容易に設定することが可能となる。
また、ＣＰＵ２１は、焦電センサ１６の検出距離を感度設定回路部１８を介して変更設定できるため、焦電センサ１６の検出距離を変更するための機械的部材を必要とせず、親機１０の小型化を図ることが可能となる。
【００７８】
また、ユーザは、子機５０の液晶ディスプレイ５３を介した画像又はスピーカ部６７を介した音又はＬＥＤ５８の発光等によって、親機１０の焦電センサ１６の検出距離を容易に確認することが可能となる。
また、ユーザは、親機１０の液晶ディスプレイ１３を介した画像又はスピーカ２３Ａを介した音又は液晶ディスプレイ１３のバックライトの点滅発光やダイヤルボタン１４Ａに内蔵されたＬＥＤ等の発光によって、親機１０の焦電センサ１６の検出距離を容易に確認することが可能となる。更に、焦電センサ１６は、焦電型赤外線センサであるため、人の動きを確実に検知することが可能となる。
【００７９】
尚、本発明は前記実施例に限定されることはなく、本発明の要旨を逸脱しない範囲内で種々の改良、変形が可能であることは勿論である。
【００８０】
例えば、焦電センサ１６をステッピングモータやギヤ列等によって、機械的に上下方向に回動させるように構成し、ＣＰＵ１２がモータ駆動回路を介してステッピングモータを駆動制御することによって、当該焦電センサ１６の検出距離を変更設定するようにしてもよい。これにより、簡易な構成で焦電センサ１６の検出距離を変更設定することが可能となる。
【図面の簡単な説明】
【００８１】
【図１】本実施例に係るファクシミリ装置の概略構成を示す斜視図である。
【図２】ファクシミリ装置の電気的構成を示すブロック図である。
【図３】感度設定回路部による焦電型赤外線センサの感度設定の一例を説明する図である。
【図４】親機のＣＰＵが、子機からの変更指示情報に基づいて、焦電型赤外線センサの検出距離を設定変更する「親機側設定変更処理」を示すフローチャートである。
【図５】子機のＣＰＵが、ユーザから入力された変更指示情報を親機へ送信する「子機側指示情報送信処理」を示すフローチャートである。
【符号の説明】
【００８２】
１・・・ファクシミリ装置
１０・・・親機
１３、５３・・・液晶ディスプレイ（ＬＣＤ）
１４、５４・・・操作ボタン
１６・・・焦電型赤外線センサ（焦電センサ）
１８・・・感度設定回路部
２０、６０・・・制御部
２１、６１・・・ＣＰＵ
２１Ａ、６２Ａ・・・ＲＡＭ
２１Ｂ、６２Ｂ・・・ＥＥＰＲＯＭ
２３Ａ・・・スピーカ
５０・・・子機
５８・・・ＬＥＤ
６７・・・スピーカ部
【図１】
2008243011.tif 000003
【図２】
2008243011.tif 000004
【図３】
2008243011.tif 000005
【図４】
2008243011.tif 000006
【図５】
2008243011.tif 000007